(57)【要約】【課題】  流し台の三角コーナー容器を使用せず、又吸盤で支持するゴミ袋ホルダーの専用袋を不要とし、ゴミ袋ホルダーの平面設置構造を縦面設置への切り替え時に吸盤支持台とゴミ袋ホルダーを分離せずにセットでき、従来構造品にも設置可能であり、衛生面の向上と多種、安価なゴミ袋を装着できるようにする。【解決手段】  ゴミ袋ホルダー３と４を吸盤支持台２にセットし、図２のようにゴミ袋ホルダー３を持ち上げて開け、ゴミ袋６を装着後、下ろして固定する。図７のようにホルダー先端部１０を縦型取り付け用つまみ７を回転して固定させ、平面設置から縦面設置への切り替えが可能になり、図５のようにゴミ袋を部分圧搾又はエンドレス圧搾して従来構造品にも簡易に装着できる。【選択図】  図２
2005089179.tif 000002
【特許請求の範囲】
【請求項１】
ゴミ袋ホルダーの凸部分と凹部分の二つの組み合わせによりゴミ袋を圧搾装着することによってズレ防止と多種のゴミ袋の使用が可能となり、安価で衛生的効果を発生させることを目的とした樹脂製又は金属製の一体型装置。
【請求項２】
本体を分離させずに吸盤によりホルダーを支持し流し台の縦面、平面に装着可能とした装置。
【請求項３】
ゴミ袋ホルダーの上部の凹部押さえ部分を分割して支持体にて継続し、凸部の間にゴミ袋を圧搾装着する装置。
【請求項４】
ゴミ袋ホルダーの外側の押さえ部分をリング状にし、内側凹部とセット可能とする装置。
【請求項５】
従来の流し台コーナー用ゴミ袋ホルダーに装着部分に合わせた本発明のゴミ袋ホルダーの凹部分を分離して凸部分にはめ込み、ゴミ袋を圧搾装着する装置。
【発明の詳細な説明】
【発明の詳細な説明】
【技術分野】
【０００１】  本発明は、流し台において、三角コーナー用のゴミ袋をホルダーに容易に、又多種のゴミ袋を装着可能とした流し台コーナー用ゴミ袋ホルダー。（ＩＰＣ産業分類、Ａ４７）
【背景技術】
【０００２】  従来の流し台コーナー用ゴミ袋ホルダーは三角コーナー容器に多種のゴミ袋を入れてセットし、又三角コーナー容器を使用しない吸盤利用のゴミ袋ホルダーは専用のゴミ袋をセット、使用する装置である。本発明の流し台コーナー用ゴミ袋ホルダーは一体型で三角コーナー容器を使用せず、多種のゴミ袋を容易に装着できる技術は従来に存在しない。
【発明が解決しようとする課題】
【０００３】  従来の流し台コーナー用ゴミ袋ホルダーは三角コーナー容器を使用した装置は容器自体がゴミにより汚れるため、容器を洗浄する必要があり、又三角コーナー容器を使用しない吸盤利用のゴミ袋ホルダーは専用のゴミ袋をセット使用するため他種のゴミ袋の装着が円滑に出来ない。
【課題を解決するための手段】
【０００４】  上記目的を達成するために本発明の流し台コーナー用ゴミ袋ホルダーは凸部分と凹部分の二つの組み合わせによりゴミ袋の圧搾装着と取り外しが容易に行えて、ズレ、落下防止と三角コーナー容器を使用することなく、専用のゴミ袋も不要であり、多種ゴミ袋の装着を可能とし、衛生上良好であり、極力安価なゴミ袋を装着できる。
【０００５】  図７の吸盤支持台２に流し台の縦面設置の縦型切り替えつまみ７を回転操作させてゴミ袋ホルダーを分離させずに縦面設置使用を可能とした。
【０００６】  図２のホルダー凹部を図５のように分割、又は分割凹部分を丸線に変えて支持体１２にて継続し、凸部の間にゴミ袋を圧搾装着する装置。
【０００７】  図６は本発明の図３と逆の発想であり、内側にあるホルダー凹部にに対して斜め上側から凸部を押し込みセットしてゴミ袋を圧搾装着する。
【０００８】  従来の流し台コーナー用ゴミ袋ホルダーに装着部分に合わせた本発明のゴミ袋ホルダーの凸部分と凹部分を本体から分離した何れかをセットして流し台コーナー用ゴミ袋を圧搾装着すれば多種ゴミ袋にも対応できる。
【発明を実施するための最良の形態】
【０００９】  発明の実施の形態を実施例にもとづき図面を参照して説明する。
図１の吸盤支持台２にホルダー３とホルダー４ホルダー取り付けピン９を取り付ける。図３のように凸部と凹部がセットできるようにする。【００１０】  図４のホルダー３にホルダー着脱用つまみ８を取り付ける。ホルダー３のバネ性を利用し、装着の場合は下に押し下げて、外す場合は押し上げる。【００１１】  図７は吸盤支持台２の底面から見て説明する。縦面に取り付ける場合は吸盤支持台２に対してホルダー３とホルダー４が粗直角になるようにセットする。ホルダー３先端部１０が吸盤支持台２の一面で固定され反対面の遊離部分を縦型取り付け用つまみ７を回転させ固定する。なお、平面取り付け時は縦型取り付け用つまみ７のクランク部分が図の右面に移動格納される。また動揺防止として縦型取り付け用つまみ７と吸盤支持台２の間にボス１１を取り付ける。【００１２】  図３のホルダー３はエンドレス型であるが図５のように分割して支持体に固定し代用することもできる。【００１３】  図３のホルダー３はホルダー４に対して上部から被せる構造であるが図６は内側に凹部を外側に凸部セットし、凹部のバネ性を利用して斜め上方向からセットする。【００１４】  従来の流し台コーナー用ゴミ袋ホルダーに図５のような分割型又はエンドレス型のホルダーを取り付ければ多種及び安価なゴミ袋を装着できる。
【発明の効果】
【００１５】  本発明は、以上説明したように構成されているので、以下に記載されるような効果を奏する。
【００１６】  本発明の流し台コーナー用ゴミ袋ホルダーは凸部分と凹部分の二つの組み合わせによりゴミ袋を圧搾装着することによってゴミ袋のズレ防止と三角コーナー容器を必要とせず容器の汚れ等による洗浄、衛生上の懸念も払拭でき、又専用のゴミ袋も不要であり、多種ゴミ袋の装着を可能とし、極力安価なゴミ袋も装着できるため経済的効果が期待できる。又本発明の流し台コーナー用ゴミ袋ホルダーは縦面と平面に装着可能であり、縦型に変更する場合は本体を分離せずに縦型切り替えつまみを指先で回転、容易に縦型装着を可能とし、又従来のゴミ袋ホルダーに図５のような分割型又はエンドレス型のホルダーを取り付ければ専用のゴミ袋は不要となり多種、安価なものを装着できる。
【図面の簡単な説明】
【図１】  流し台コーナー用ゴミ袋ホルダーのゴミ袋セット時の正面図である。
【図２】  流し台コーナー用ゴミ袋ホルダーのゴミ袋セット前の正面図である。
【図３】  吸盤支持台とゴミ袋セット時のゴミ袋ホルダー凸部、凹部の断面図である。
【図４】  流し台コーナー用ゴミ袋ホルダーの斜視図である。
【図５】  ゴミ袋ホルダーの上部の凹部押さえ部分を分割し、支持体にて継続した平面図である。
【図６】  ゴミ袋セット時のゴミ袋ホルダー凸部、凹部の断面図である。
【図７】  吸盤と吸盤支持台、縦型取り付け用つまみの底面からみた平面図である。
【符号の説明】
１  吸盤
２  吸盤支持台
３  ゴミ袋ホルダーＡ
４  ゴミ袋ホルダーＢ
５  吸盤用つまみ
６  ゴミ袋
７  縦型取り付け用つまみ
８  ホルダー着脱用つまみ
９  ホルダー取り付けピン
１０  ホルダー先端部
１１  つまみ動揺防止ボス
１２  支持体
【図１】
2005089179.tif 000003
【図２】
2005089179.tif 000004
【図３】
2005089179.tif 000005
【図４】
2005089179.tif 000006
【図５】
2005089179.tif 000007
【図６】
2005089179.tif 000008
【図７】
2005089179.tif 000009